【手続補正書】
【提出日】平成22年3月23日(2010.3.23)
【手続補正１】
【補正対象書類名】特許請求の範囲
【補正対象項目名】全文
【補正方法】変更
【補正の内容】
【特許請求の範囲】
【請求項１】
ロープ、またはロープ及びそのロープに備えた取付け具を介して、魚入れ容器を取付けて使用可能な釣用ベルトであって、
釣人の腰に巻き付けられるベルト本体と、
そのベルト本体の長手方向に一定の幅で長く形成された開口部と、
前記開口部の幅を一定に保つ幅保持手段と、
魚入れ容器を取付けるための取付手段を備え、前記開口部に沿って移動可能に備えられたスライド部材と、
を備えることを特徴とする釣用ベルト。      
【請求項２】
前記スライド部材は、前記開口部に貫通する貫通部と、
その貫通部にて、ベルト本体裏側に設けられ、前記開口部から前記ベルト本体表側方向へ抜脱不能な形状に形成された抜止部とを備え、
前記取付手段は、前記貫通部にて、前記ベルト本体の表側に備えられていることを特徴とする請求項１に記載の釣用ベルト。
【請求項３】
前記ベルト本体は、前記開口部付近の長手方向に平行となるように、かつ前記開口部を間に挟むように、レール部を備え、
前記抜止部は、前記レール部に、または／及び前記レール部外側の前記ベルト本体に接触する接触部を備えることを特徴とする請求項２に記載の釣用ベルト。
【請求項４】
前記スライド部材は、前記貫通部にて、前記ベルト本体の表側の、前記ベルト本体の短手方向に延設され、
前記接触部と対向する位置にて、前記ベルト本体に近接し、前記レール部を、または／及び前記レール部外側の前記ベルト本体を前記接触部との間に挟持するように形成された挟接部を備え、
前記接触部と前記挟接部とが、前記レール部を、または／及び前記レール部外側の前記ベルト本体を、前記スライド部材が移動可能なように挟持することを特徴とする請求項３に記載の釣用ベルト。
【請求項５】
前記抜止部は、前記接触部として機能する回転体を回動可能に備えていることを特徴とする請求項２乃至請求項４のいずれか１項に記載の釣用ベルト。
【請求項６】
前記幅保持手段は、前記ベルト本体の裏側から前記開口部が短手方向に跨設され、単数または前記開口部の長手方向に複数備える支持部材であることを特徴とする請求項１乃至請求項５のいずれか１項に記載の釣用ベルト。
【請求項７】
前記ベルト本体裏側にて前記支持部材または前記開口部が覆設され、可撓性を有する可撓部材を備えることを特徴とする請求項６に記載の釣用ベルト。
【請求項８】
前記幅保持手段は、前記ベルト本体の裏側から前記開口部が短手方向に跨設され、前記開口部を長手方向に覆うよう長く形成され、可撓性を有する支持部材であることを特徴とする請求項１乃至請求項５のいずれか１項に記載の釣用ベルト。
【手続補正２】
【補正対象書類名】明細書
【補正対象項目名】全文
【補正方法】変更
【補正の内容】
【発明の詳細な説明】
【発明の名称】釣用ベルト
【技術分野】
【０００１】
本発明は、鮎釣り等で釣人が腰に取付け、魚入れ容器を取付けることができる釣用ベルトに関する。
【背景技術】
【０００２】
従来、釣用ベルトとして、ベルト本体の側面に案内紐を設けたものが開示されている。この案内紐には、引舟やびく等の魚入れ容器が取付けられる。すなわち、魚入れ容器に備えたロープを移動可能に案内紐に結びつけたり、ロープの端に備えた取付け具を案内紐に掛止したりして魚入れ容器が取付けられる。釣人が、この釣用ベルトを腰に装着し、魚入れ容器を案内紐に取付けて川の流れに立入ると、魚入れ容器が川下方向へ流され、ロープを引張る。すると、結びつけられたロープの結び目または掛止された取付け具が案内紐に沿って移動し、案内紐にて川下方向に位置する付近で停止する。この状態で身体の向きを変えると、例えば、川を横切る方向から川下方向に身体を回転させると、再び、ロープまたは取付け具が案内紐に沿って移動し、案内紐にて川下方向に位置する付近で停止する。このように案内紐にて、ロープの結びつけ位置、または取付け具の掛止位置が魚入れ容器の流される方向へ移動し、川下方向に位置しようとするため、魚入れ容器のロープが身体にからむのを防止することが可能となる。
【０００３】
【特許文献１】実開平６−１１４７１号公報
【発明の開示】
【発明が解決しようとする課題】
【０００４】
しかしながら、上記の釣用ベルトでは、釣用ベルトに取付けた魚入れ容器が川の流れによって下流に流され、ロープが引張られると、ロープに繋がった案内紐とベルト本体とが離され、その間に隙間が生じる。そのため、釣竿に取付けた仕掛けが案内紐にからみやすくなったり、竿尻がその隙間に入り込んだりして釣りの妨害になってしまうことがある。また、案内紐が引張られることによって、案内紐の形状がロープまたは取付け具の移動しにくい形状に変形し、例えば、ロープを結びつけた部分、またはロープの取付け具を取付けた部分に急カーブが生じ、ロープまたは取付け具が案内紐に沿ってスムーズに移動しにくくなってしまう。
【０００５】
そこで、上述のように仕掛けの絡み等による釣りのトラブルが発生せず、しかも、魚入れ容器のロープが釣人の体にからみにくい釣用ベルトを提供することを課題とする。
【課題を解決するための手段】
【０００６】
本発明にかかる釣用ベルトは、「ロープ、またはロープ及びそのロープに備えた取付け具を介して、魚入れ容器を取付けて使用可能な釣用ベルトであって、釣人の腰に巻き付けられるベルト本体と、そのベルト本体の長手方向に一定の幅で長く形成された開口部と、前記開口部の幅を一定に保つ幅保持手段と、魚入れ容器を取付けるための取付手段を備え、前記開口部に沿って移動可能に備えられたスライド部材と、を備える」ものである。
【０００７】
ここで、「魚入れ容器」とは、生かした状態で魚を保管することができる容器のことであり、ロープ等を介して釣用ベルトに取付けることができる容器のことを示す。例えば、引き舟、ビク等のことである。「ベルト本体の長手方向に長く形成され」とは、開口部の形状が直線状に限られず、曲線状であることも含まれる。「ベルト本体の長手方向」には、ベルト本体と平行に形成されたものに限定されず、ベルト本体の範囲内で傾斜したものも含まれる。「開口部に沿って移動可能に備えられ」とは、スライド部材が移動可能に備えられるのであれば、どのような取付方法で備えられていてもよく、例えば、スライド部材の裏側部分がＴ字形状に形成され、ベルト本体の裏側から貫装して掛止するもの、スライド部材が開口部の縁に狭装されたもの等である。
【０００８】
また、釣用ベルトには、釣人の腰に巻いて装着するとき、ベルト本体間を連結する連結手段を備えたものが含まれる。この連結手段には、どのような構造のものも含まれ、例えば、ベルト本体の一端に設けられたソケット部材と、ベルト本体の他端に設けられ、ソケット部材に連結解除自在に設けられたスタッド部材とを備えた釣用ベルト、または、ベルト本体の一端に設けられ、ベルト本体の他端を挿入する通過孔と通過したベルト本体をロックするロック機構を備えた釣用ベルト等である。「取付手段」には、魚入れ容器の  ロープ、またはそのロープに備えた取付け具を取付け可能なものすべてが含まれる。例えば、スライド部材の表側に設けられ、ロープを結びつけるための環を備えるもの、ロープを挟んでロックする取付機構を備えたもの、取付け具と係合する係合部を備え、取付け具と係合部とを係合させて取付けるもの等である。
【０００９】
本発明によれば、スライド部材は開口部に沿って自由に移動する。開口部は、幅保持手段によって一定幅に保たれているため、開口部の幅が拡がったり狭くなったりしない。そのため、スライド部材が開口部から抜脱したり開口部に挟まったりして、スライド部材が移動不能となるトラブルを防止することが可能となる。このスライド部材に、魚入れ容器を、ロープ、またはロープ及びロープの端に備えた取付け具を、取付手段を介してスライド部材に取付け、川に立入ると、魚入れ容器が川下方向へ流され、ロープを引張る。すると、スライド部材は、ロープに引張られる方向へ開口部に沿って移動し、魚入れ容器と、腰に巻いた釣用ベルトの中心、すなわち、釣人の体の中心とを結ぶ直線と開口部とが交差する交差位置に位置しようとする。この状態で、体の向きを変える、例えば、体を、川岸方向から川下方向へ回転したり、川下方向から川上方向へ回転したりすると、スライド部材は、川下に向かって移動し交差位置に位置しようとする。このように、釣人の体の向きに応じてスライド部材が交差位置に移動するため、ロープが釣人の体に巻きつきにくくすることが可能となり、釣人の釣りの妨害にならなくすることができる。
【００１０】
また、スライド部材は、案内紐を用いることなく、ベルト本体に直接備える構成となっている。そのため、スライド部材とベルト本体とが離れることがなく、スライド部材とベルト本体との間に隙間が生じない。したがって、従来の釣用ベルトのように、釣竿に取付けた仕掛けが案内紐にからんだり、竿尻がその隙間に入り込んだりすることによる釣りの妨害が生じない。また、スライド部材が引張られる力をベルト全体で受けるため、ベルト本体の変形を小さく抑えることができ、スライド部材の移動に影響を与えない。
ところで、釣用ベルトにおいて、装着時にベルト本体間を連結する連結手段には、開口部を備えることが困難である。そのため、ソケット部材とスタッド部材とを備える釣用ベルトでは、開口部の形成範囲は、ソケット部材とスタッド部材との間内に制限される。しかし、腰に装着したベルト本体を釣人の体に対して相対的に回動し、体の正面、側面、背面等、所望する位置に連結部分を移動させることによって、スライド部材の移動範囲を変更することが可能である。
【００１１】
また、本発明の釣用ベルトにおいて、「前記スライド部材は、前記開口部に貫通する貫通部と、その貫通部にて、ベルト本体裏側に設けられ、前記開口部から前記ベルト本体表側方向へ抜脱不能な形状に形成された抜止部とを備え、前記取付手段は、前記貫通部にて、前記ベルト本体の表側に備えられている」構成とすることもできる。
【００１２】
ここで、「抜脱不能な形状に形成され」とは、抜脱不能であれば、どのような形状に形成されたものでもよいことを示し、例えば、抜止部が板状であり、開口部の幅より全体的に大きく形成されたもの、一部の長さが開口部の幅より長いもの、断面形状がＴ字状に形成されているもの、抜止部の形状が球体であり、直径が開口部の幅より大きいもの等である。また、「貫通部」は、円柱体、立方体等、開口部を貫通可能な形状であればどのようなものも含まれ、また、スライド部材が開口部に備えられたとき、開口部に貫通した方向を軸としてスライド部材が回動可能な形状のものも含む。
【００１３】
これによれば、スライド部材は、貫通部と、抜止部と、取付手段とから構成されている。取付手段には、魚入れ容器のロープを結びつけたり、挟んだり、ロープに備えた取付具を掛止したりして魚入れ容器が取付けられる。このとき、スライド部材は、抜止部が開口部から抜脱不能に形成されているため、例えば、抜止部が、または、抜止部の一部が、開口部の幅より大きく形成されているため、開口部に掛止され、開口部から脱離不能である。釣用ベルトを装着し、魚入れ容器が川下へ流されてスライド部材に張力が加わると、開口部に貫通している貫通部が開口部の形状に沿うように、スライド部材は、引張られる方向、すなわち、魚入れ容器が流される方向に移動する。
【００１４】
また、本発明の釣用ベルトにおいて、「前記ベルト本体は、前記開口部付近の長手方向に平行となるように、かつ前記開口部を間に挟むように、レール部を備え、前記抜止部は、前記レール部に、または／及び前記レール部外側の前記ベルト本体に接触する接触部を備える」構成を加えることもできる。
【００１５】
ここで、レール部の断面形状は、円形、矩形等どのような形状のものも含み、レール部が設けられる面は、ベルト本体の両面、片面のみ、のどちらの場合も含まれる。レール部の設けられる位置は、開口部の縁部、開口部から少し離れた部分であり、スライド部材の接触部がレール部と接触可能な範囲でなければならないことを示す。また、「近接」には、接近の意味だけでなく接触の意味も含む。
【００１６】
これによれば、接触部は、レール部、またはレール部及びベルト本体に近接している。スライド部材は、魚入れ容器が川下方向へ流されることによってロープが引かれ、ベルト本体の表側方向へ引かれる力を受ける。スライド部材の接触部がレール部またはベルト本体に接触しながら、スライド部材は移動する。そのため、レール部が設けられることによって、スライド部材との接触面積が小さくなり、スライド部材の移動による摩擦抵抗を小さくすることが可能となる。また、レール部が開口部を補強して、開口部の変形を防止することが可能となる。
【００１７】
ところで、取付けた魚入れ容器が岩に衝突したり、強い川の流れに流されたりしてスライド部材に強い引張り力が加わる場合がある。すると、ベルト本体の断面形状においてハの字状にベルト本体が変形し、開口部の幅が開いてしまう可能性がある。その結果、抜止部が開口部を抜出してスライド部材が外れ、スライド部材に取付けた魚入れ容器を失ってしまうことも考えられる。
【００１８】
そこで、本発明の釣用ベルトにおいて、「前記スライド部材は、前記貫通部にて、前記ベルト本体の表側の、前記ベルト本体の短手方向に延設され、前記接触部と対向する位置にて、前記ベルト本体に近接し、前記レール部を、または／及び前記レール部外側の前記ベルト本体を前記接触部との間に挟持するように形成された挟接部を備え、前記接触部と前記挟接部とが、前記レール部を、または／及び前記レール部外側の前記ベルト本体を、前記スライド部材が移動可能なように挟持する」構成を加えることもできる。
【００１９】
ここで、「挟接部」は、抜止部の接触部に対向する位置で接触部に近接すれば、どのような形状を成したものでもよく、球形状、板形状、円柱形状等、を有してもよい。例えば、板形状のものであって、接触部に対向する部分が接触部方向に曲成したものや、棒状のものであって、接触部に対向する部分が球体形状に形成されたもの等である。
【００２０】
これによれば、レール部外側と接触した状態となっている。換言すると、接触部が開口部とレール部との距離より離れた位置と接触している。そのため、スライド部材が移動する場合には、接触部はレール部に沿うようにスライドすることになる。挟接部は接触部に対向する位置で、ベルト本体に近接するように設けられ、接触部がレール部に沿ってスライドするよう保持する。このとき、ベルト本体は、接触部がレール部外側に接触した状態で、接触部と挟接部とで挟持されたような状態となっている。そして、接触部と、対向する挟接部との最短距離は前記レール部の厚みより小さくなっている。
【００２１】
スライド部材が強い力で引張られると、抜止部がベルト本体に強く当接し、ベルト本体の断面形状においてハの字状に変形させようとする力がベルト本体に作用する。しかし、レール部の厚みが接触部と挟接部との長さより小さいため、接触部と挟接部と間を通過することができない。そのため、接触部と挟接部とがレール部間を連結したような状態となり、開口部の幅が開くのを防止することができる。その結果、ベルト本体の断面形状においてハの字状にベルト本体が変形するのを防止するとともに、スライド部材が開口部から外れるのを防止することが可能となる。そして、魚入れ容器を失うようなトラブルが発生するのを防止することができる。
【００２２】
また、本発明の釣用ベルトにおいて、「前記抜止部は、前記接触部として機能する回転体を回動可能に備えている」構成とすることもできる。
【００２３】
ここで、「回転体」とは、球体、円柱体等であって回動可能な形状のものを示し、回動軸のあるもの、ないもの両方を含む。
【００２４】
これによれば、抜止部は回転体を介してベルト本体と接触し、回転体は接触部として機能する。スライド部材が移動するときは、回転体が回動する。そのため、スライド部材は、ベルト本体との摩擦抵抗が小さくなり、スムーズに移動することが可能となる。また、回転体はレール部に外接し、移動の際、レール部に沿って回動する。そのため、回転体の移動方向が開口部の長手方向に定まり、スライド部材の移動をさらに改善することが可能になる。また、回転体がレール部に沿って移動するため、スライド部材がベルト本体面に対して垂直方向を軸として回動するのを防止することができる。そのため、スライド部材が垂直方向を軸として回動して、回転体が開口部に嵌る等のトラブル発生を防止することができ、スライド部材がスムーズに移動することが可能となる。
【００２５】
本発明の釣用ベルトにおいて、「前記幅保持手段は、前記ベルト本体の裏側から前記開口部が短手方向に跨設され、単数または前記開口部の長手方向に複数備える支持部材である」構成とすることもできる。
【００２６】
ここで、「開口部が短手方向に跨設され」とは、形状が弧状、コ字状等に形成された支持部材が備えられていることを示している。すなわち、開口部と支持部材とが離され、ベルト本体と支持部材との間に空間を生じるような状態であることを示し、スライド部材の移動を妨害しないような状態であることを示している。また、「ベルト本体の裏側から」とは、ベルト本体の表側部分にてスライド部材の移動を妨害しないように設けられていることを示している。
【００２７】
また、「複数備え」とは、等間隔、ランダムな間隔等、複数の支持部材が自由な間隔で設けられていることを示している。
【００２８】
これによれば、支持部材が開口部の幅を一定に保っている。そのため、開口部の幅が狭くなってスライド部材が移動しにくくなったり、開口部の幅が拡がってスライド部材がベルト本体から外れたりすることがない。また、支持部材は、ベルト本体の裏側から前記開口部を短手方向に跨いで設けられている。そのため、支持部材が、スライド部材、そのスライド部材に取付けられたロープ、または取付け具の移動を妨害しない。そのため、スライド部材は開口部の長手方向に自由に移動することが可能となる。
【００２９】
支持部材が開口部の長手方向に複数設けられている場合には、開口部全体にわたって開口部の幅を一定に保つことができる。また、支持部材が開口部の長手方向に複数設けられていることにより、釣用ベルトを湾曲させる等して変形させた場合、各々の支持部材間にてベルト本体から離れた部分が固定されておらず、その間隔が自由に変化可能なので、釣用ベルトの変形に追従することができる。そのため、ベルト本体を腰から取外したり，腰に装着したりする際、ベルト本体を平らにしたり、曲げたりすることが可能となる。そのため、従来の釣用ベルトと同様の感覚で釣用ベルトの着脱ができる。
【００３０】
また、本発明の釣用ベルトにおいて、「前記ベルト本体裏側にて前記支持部材または前記開口部が覆設され、可撓性を有する可撓部材を備える」構成とすることもできる。
【００３１】
ここで、可撓部材の形状は、断面が弧状、コ字状等自由に設定でき、支持部材の形状と異なるものも含む。また、「可撓性を有する」とは、弾性や伸縮性等を有する材質によって形成されたものや、屈曲したり変形したりすることが可能な形状のもの等であり、ベルト本体に設けられたとき、ベルト本体の変形に追従することが可能なものを示す。
【００３２】
これによれば、可撓部材は、ベルト本体の裏側に設けられた複数の支持部材または開口部を覆うように設けられている。すなわち、可撓部材が、ベルト本体裏側にてスライド部材の移動路を覆って、ベルト本体と可撓部材とでスライド部材が移動する移動空間を形成している。そして、釣用ベルト装着時に、可撓部材は、着ている服が移動空間内に進入するのを防止することができる。そのため、ベルト本体裏側にて、スライド部材裏側部分に服が接触したり、開口部の間に服が挟まったりすることがなく、スライド部材はスムーズに移動することが可能となる。また、可撓部材が可撓性を有するため、ベルト本体を腰から取外したり，腰に装着したりする際、ベルト本体を平らにしたり、曲げたりすることが可能となる。そのため、従来の釣用ベルトと同様の感覚で釣用ベルトの着脱ができる。
【００３３】
また、本発明の釣用ベルトにおいて、「前記幅保持手段は、前記ベルト本体の裏側から前記開口部が短手方向に跨設され、前記開口部を長手方向に覆うよう長く形成され、可撓性を有する支持部材である」構成とすることもできる。
【００３４】
「可撓性を有する」とは、弾性や伸縮性等を有する材質によって形成されたものや、変形可能な形状によるもの等であり、ベルト本体に設けられたとき、ベルト本体の変形に追従して変形することが可能なものを示している。
【００３５】
これによれば、支持部材は、ベルト本体の裏側に設けられ、開口部を覆うように設けられている。そのため、釣用ベルト装着時に、着ている服がベルト本体裏側のスライド部材や開口部に接触したり、開口部の間に挟まったりすることができず、スライド部材はスムーズに移動することが可能となる。また、支持部材が可撓性を有するため、ベルト本体を腰から取外したり，腰に装着したりするとき、ベルト本体を平らにしたり、曲げたりすることが可能である。支持部材が開口部幅を一定に保つだけでなく、可撓部材としての機能も有しているため、部品点数を少なくすることができる。
【発明の効果】
【００３６】
このように、本発明の釣用ベルトを用いると、従来の釣用ベルトと比較して、釣竿に取付けた仕掛け糸が釣用ベルトを構成する部材にからまる等のトラブルの発生を防止することが可能となる。また、引き船やビク等が川下へ流れることに応じて、スライド部材をよりスムーズに移動しやすくすることができる。
【発明を実施するための最良の形態】
【００３７】
以下、本発明に係る釣用ベルトの実施形態としての一例を、以下に、図面に基いて詳述する。
【００３８】
図１は、釣用ベルト１の全体構成を示し、図２は、図１とは逆方向から視た場合の釣用ベルト１の全体構成を示している。図３は、可動アンカー５の全体形状を示し、図４は、図２のＡ−Ａ断面における釣用ベルト断面形状を示している。図５は、釣用ベルト１のＡ−Ａ付近を切取り、可撓部材４の一部を取除き、釣用ベルト１の裏側方向から視た場合の釣用ベルト内部構成を示している。
【００３９】
図１に示すように、釣用ベルト１は、ベルト本体２と、開口部３と、可撓部材４と、スライド部材としての可動アンカー５とを備えている。また、釣用ベルト１の一端には、ソケット部材６が設けられ、その他端には、ソケット部材６に連結解除自在のスタッド部材７が備えられている。
【００４０】
図１及び図４に示すように、ベルト本体２は、合成樹脂製の薄板材８と、編板材９とを備えている。薄板材８には、ベルト本体２の長手方向に直線状に形成された開口部３が備えられている。その開口部３の縁には、断面形状が円形状のレール部１０が形成されている。ここで、レール部は、断面形状が円形に限らず、どのような形状であってもよく、例えば、矩形であってもよい。また、レール部が設けられる位置は、開口部の縁に限定されず、例えば、ベルト本体裏面の開口部から離れた開口部周囲であってもよい。
【００４１】
編板材９は、編みこまれて板状に形成され、長手方向に長く、開口部３より大きく形成された長方形状の窓部１１を備えている。その窓部１１の中央に開口部３がちょうど位置するように薄板材８と編板材９とが取付けられている。編板材９は、薄板材８を補強するためと、釣用ベルト１の外観をよくするために設けられている。薄板材８と編板材９とは、どのような方法で取付けられてもよく、例えば、互いを接着したり、縫い付けたりして取付けられてもよい。開口部３の長手方向長さは、可能な限り、長いほうが好ましく、できれば、５０ｃｍ以上あったほうが望ましい。また、開口部３形状は、直線状に限らず、ベルト本体２の長手方向に曲線状に形成されたものであってもよく、例えば、ベルト本体２の長手方向に弧状に形成されたものや、三角関数のサイン図形状に形成されたものであってもよい。
【００４２】
図５に示すように、薄板材８の裏側には、中央部が弧状に形成され、両端部が同一面上に取付け可能な形状に形成された取付部１２を有する支持部材１３が、開口部３を跨ぐように取付けられている。支持部材１３は、開口部３の長手方向に等間隔に複数設けられており、開口部３の幅を一定に保つように薄板材８を支持している。支持部材１３の取付部１２位置は、薄板材８にて開口部３から一定の距離離れており、薄板材８と支持部材１３とで囲まれる隙間１４が形成されている。その隙間１４は、可動アンカー５が移動する移動空間となっており、隙間１４内の薄板材８部分は可動アンカー５と接触する接触部となっている。
【００４３】
また、図５に示すように、薄板材８には、断面形状が、支持部材１３と同様、円弧状に形成された樹脂製の可撓部材４が設けられ、可撓部材４は、すべての支持部材１３及び開口部３を覆うようにベルト本体２裏面に取付けられている。可撓部材４には、周方向に形成された凹部４ａが、ベルト本体２長手方向全体にわたって等間隔に備えられている。すなわち、可撓部材４周囲は、蛇腹形状に形成されており、可撓部材４全体が屈曲することで可撓性を有している。可撓部材４は、断面形状が円弧状に形成されたものに限らず、例えば、断面がコ字状に形成されたもので周囲が蛇腹形状に形成されたものであってもよい。また、可撓部材４は、釣用ベルト１を平たく伸ばした状態から図１に示すように内側に丸まった状態に可撓可能であれば、どのような材質のものでもよく、例えば、スポンジ状のゴム製のもの、アルミニウム製の蛇腹材等であってもよい。支持部材１３と可撓部材４とは、一体成形したものであってもよい。また、薄板材８、支持部材１３及び可撓部材４を一体成形したものであってもよい。
【００４４】
図３に示すように、可動アンカー５は、金属製であって、ベルト本体２の裏面に備えられる抜止部１５と、開口部３を貫通する貫通部１６と、釣用ベルト１の表側に備え、挟接部としての近接部１７と、取付手段としての環支持部１８及び環部１９とを備えている。ここで、可動アンカー５は、金属製に限定されず、どのような材質であってもよく、例えば、合成樹脂性であってもよい。
【００４５】
抜止部１５は直方体形状であり、可動アンカー５が薄板材８に取付けられたとき、薄板材８裏面と接触する部分には、接触部として機能する、２つの球体２０，２１を回動自在に備えている。近接部１７には、抜止部１５と略同形状に形成され、球体２０，２１に対向する位置に２つの円柱体状の円柱部分２２，２３が抜止部１５に近接するように形成されて備えられている。貫通部１６は抜止部１５と近接部１７との間に位置し、直方体形状に形成されている。貫通部１６と抜止部１５とは、抜止部１５の中心に形成された孔に、貫通部１６に形成された突出部が嵌合することにより連結している。貫通部１６の厚さ、つまり、図３の上下方向の長さは、開口部３の幅と同じか、それよりわずかに小さくなっている。環支持部１８は、近接部１７中央にてベルト本体２表面側向きに、つまり、図３の左から右方向に形成され、円柱体形状をなしている。その中間付近には、貫通孔２４が設けられ、その貫通孔２４に環部１９が回動可能に備えられている。ここで、環支持部１８には、その円柱体軸心方向に回動する回動機能を備えさせてもよい。
【００４６】
図４に示すように可動アンカー５は、２つの球体２０，２１と近接部１７の円柱部分２２，２３とにより、レール部１０の外側部分と薄板材８とを挟み込むように、薄板材８に取付けられている。このとき、球体２０，２１と円柱部分２２，２３との距離がレール部１０の直径より小さくなっており、球体２０，２１と円柱部分２２，２３との間からレール部１０が抜けない状態となっている。そのため、開口部３の幅が一定に保たれるとともに、レール部１０に沿って球体２０，２１が移動する状態となっている。このようにして、可動アンカーは、薄板材８に取付けられ、開口部３またはレール部１０に沿って自由に移動可能な状態になっている。
【００４７】
図１及び図２に示すように、ベルト本体２には、２つの吊下部材３０，３１がベルト本体２長手方向にスライド自在に備えられている。吊下部材３０，３１は、ベルト本体１及び可撓部材４の短手方向周囲形状に沿った形状に形成されている。吊下部材３０，３１のベルト本体２表側には、一部が切り取られ、アンカー通過用間隙３２，３３が形成されている。そのため、吊下部材３０，３１は可動アンカー５の移動の妨害とならなくなっている。そして、吊下部材３０，３１の裏面には、取付環３４，３５が樹脂製シート３６，３７を貫通させ折りたたむようにして取付けられている。
【００４８】
図１及び図２に示すように、スタット部材７は、ベルト本体２を通過させるための、ベルト本体２の短手方向に並列に形成された２つの調整孔５１，５２が設けられている。２つの調整孔５１，５２にベルト本体２を通過させることによって、ベルト本体２とスタット部材７とを連結するとともに、ベルト本体２長さを調整できるようになっている。そして、スタット部材７には、ソケット部材６に係合する２つの爪部５３，５４を備えている。ソケット部材６は、ベルト本体２の端部を貫通させる貫通孔５５を備え、その貫通孔５５にベルト本体２の端部を貫通させて巻回固定されている。そして、ソケット部材６には、爪部５３，５４を通過させる連結孔５６と爪部５３，５４を係止する爪係止孔５７，５８を備えている。また、ベルト本体２にて、スタット部材７付近には、ベルト本体２の長さ調整によって余ったベルト本体部分を挟み止めるためのベルト調整具５９が設けられている。ベルト調整具５９は、吊下部材３０，３１と同様の形状であり、アンカー通過用間隙５９ａが形成され，可動アンカー５の移動の妨害とならなくなっている。
【００４９】
次に、本実施形態の釣用ベルト１を腰に装着して使用したときの作用について、図を用いて説明する。
【００５０】
釣用ベルト１を装着する場合には、釣用ベルト１を釣人５９の腰に巻きつける。このとき、釣用ベルト１は、複数の支持部材１３が等間隔に分散して設けられ、可撓部材４が可撓可能であることより、釣用ベルト１を平状にしたり、図１に示すように湾曲させたりすることが可能である。そのため、腰に装着するとき、一般のベルトと同様に釣人５９の体に違和感を与えることなく腰に巻きつけて装着することができる。
次に、ソケット部材６の連結孔５６にスタット部材７の爪部５３，５４を挿入する。すると、爪部５３，５４が爪係止孔５７，５８に係止され、ソケット部材６とスタット部材７とが連結する。このとき、可撓部材４は、可動アンカー５の移動する隙間１４に衣服等が進入するのを防止している。そのため、腰に装着しても、可動アンカー５の移動に影響を与えなくすることが可能となる。ソケット部材６とスタット部材７とを分離するときは、爪係止孔５７，５８に係止された爪部５３，５４を指で押さえると、連結孔５６から爪部５３，５４を容易に引抜いて分離することができる。
【００５１】
釣用ベルト１を装着した状態では、可動アンカー５は、ベルト本体２において開口部３の長手方向に移動可能な状態である。すなわち、可動アンカー５は、抜止部１５によって、開口部３から抜脱不能なように薄板材８の裏面に掛止された状態となっている。また、抜止部１５と薄板材８との接触部分には球体２０，２１が回動自在に介在しているので、可動アンカー５は、薄板材８との摩擦抵抗を小さくでき、スムーズに移動することが可能である。
【００５２】
図７、図８は、釣人５９が釣用ベルト１を装着し、釣竿６３を持って川に立入った状態を、上空から視た簡略図である。釣人５９が引き船６０を可動アンカー５に装着し、引き船６０のロープ６１を環部１９に取付けて、川に立ち入ると、引き船６０が川下へ流されるとともに、引き舟６０に繋がるロープ６１が引かれ、可動アンカー５が川下方向へ移動する。このとき、薄板材８に接触している球体２０，２１が回動するため、摩擦による抵抗を小さくでき、可動アンカー５をスムーズに移動させることが可能となる。
【００５３】
体の向きが川の流れ７０に対し、垂直であり、川の流れが左から右方向である場合には、図７（ａ）のように、可動アンカー５は釣人５９の右横腹方向へ移動する。この状態から体の向きを反時計回りに回転させ、体の正面を川上に向ける。すると、引き船６０の流される方向は変化しないため、図７（ｂ）に示すように体の背面方向へ可動アンカー５は移動する。さらに、反時計回りに体を回転させると、図７（ｃ）に示すように可動アンカー５は釣人５９の左横腹方向へ移動する。このように、可動アンカー５は引き舟６０の流される方向へ移動するため、釣人５９に引き舟６０のロープ６１が巻きつきにくくなり、釣人５９はロープ６１の巻きつきを気にせず、釣りをすることができる。また、ベルト本体２に形成された開口部３に可動アンカー５が備えられているため、可動アンカー５とベルト本体２とが離れることができない。そのため、従来の釣用ベルトのように、釣竿に取付けた仕掛けが釣用ベルトから離れた案内紐にからんだり、竿尻が釣用ベルトと案内紐との隙間に入り込んだりすることがなくなる。また、可動アンカー５が引張られることによる力を釣用ベルト１全体で受けとめるため、ベルト本体２の変形を小さくすることができ、可動アンカー５の移動に影響を与えなくすることができる。
【００５４】
ところで、引き舟６０が激流に流されたり、引き舟６０が岩等に激突したりして、引き舟６０が強く引かれ、可動アンカー５に強い引張り力が加わる場合がある。しかし、可動アンカー５が、レール部１０間を連結した状態となっており、容易に外れない構成となっている。つまり、球体２０，２１と近接部１７の円柱部分２２，２３との対向する距離がレール部１０断面の直径よりも小さく、球体２０，２１と円柱部分２２，２３とがレール部１０を挟持しているため、球体２０，２１と円柱部分２２，２３との間からレール部１０が抜出することができない状態となっている。そのため、抜止部１５が開口部３から抜脱するのを防止することが可能となり、可動アンカー５がベルト本体２から外れることによって、引き舟６０を失うといったトラブル発生を防止することができる。また、開口部３の幅が拡がらなくすることができ、ベルト本体２の断面形状において、ハの字状にベルト本体２が変形するのを防止することが可能となる。そのため、ベルト本体２の変形を防止して、可動アンカー５の移動に影響を与えなくすることができる。
【００５５】
ソケット部材６とスタッド部材７とを連結することにより生じるベルト本体１の連結部位置には、開口部３を備えることが困難であり、可動アンカー５の移動範囲６２はソケット部材６とスタッド部材７との間に制限される。しかし、図８に示すように、釣人５９の腰に装着した釣用ベルト１を釣人５９の体に対して相対的に回動し、（ａ）のように体の正面、（ｂ）のように側面、（ｃ）のように背面等、所望する位置に,ソケット部材６とスタッド部材７とを連結した連結部分を位置させることによって、体の向きに対する、可動アンカー５の移動範囲６２を釣人が望むように自由に設定することが可能となる。そのため、引き船６０のロープ６１が釣人にからみにくくすることができる。また、２つの吊下部材３０，３１も自由に移動可能である。そのため、釣用ベルト１の連結部分の移動に応じて吊下部材３０，３１も所望する位置、例えば、体の側面位置に移動させることによって、吊下部材３０，３１に吊り下げたものの取り扱いがしやすくなる。
【００５６】
また、網の柄を釣用ベルト１に差し入れて、網を釣用ベルト１に携帯するとき、可撓部材４の断面形状が円弧状であるため、網の柄を抵抗なく、釣用ベルト１に差し入れやすくすることができる。
【００５７】
したがって、本実施形態の釣用ベルト１を利用すれば、従来の釣用ベルトと比較して、釣竿に取付けた仕掛け糸が釣用ベルトを構成する部材にからむ等のトラブルの発生を防止することができる。また、引き船やビク等が川下へ流れる向きに応じて、スライド部材がよりスムーズに移動し、体に引き船やビク等のロープがからむのを防止することができる。
【００５８】
また、上述した実施形態に変えて、別の構成にすることもできる。例えば、編板材を設けず、薄板材と編板材部分とを樹脂で一体成形してもよい。また、それらと支持部材及び可撓部材を一体成形してもよい。薄板材は、合成樹脂性に限定されず、薄い金属薄板を用いてもよい。例えば、０．２ｍｍ程度の厚さの特殊鋼であって、板ばねのように反発力を有し、形状を維持することのできるものである。金属薄板には、レール部を備えることもできる。例えば、樹脂製のレール部の長手方向に溝を形成し、開口部縁にはめ込むようにして取付けてもよい。
【００５９】
また、図６（ａ）（ｂ）に示すような可動アンカーを用いてもよい。図６（ａ）の可動アンカー５ａは、開口部３を貫通する貫通部１６と、ベルト本体２の表側に備え、挟接部としての円柱部２２，２３を備える、挟接部としての近接部１７と、取付手段としての環支持部１８及び環部１９とを備えている。そして、ベルト本体２の裏面に位置する、抜止部として機能する回転軸１５ａ及び球体２１ａ，２２ａを備えている。回転軸１５ａは、貫通部１６に形成された開口部に回動可能に備えられ、回転軸１５ａの両端に、接触部として機能する、球体２１ａ，２２ａが形成されている。また、図３及び図６（ａ）の可動アンカー５，５ａは、近接部の形状を、図３、または図６（ａ）にて、回転体を回動可能に備える、抜止部と同形の形状に換えて備えてもよい。
【００６０】
図６（ｂ）の可動アンカー５ｂは、ベルト本体２の裏面に備える抜止部１５ｂと、開口部３を貫通する貫通部１６ｂと、ベルト本体２の表側に備え、挟接部としての近接部１７ｂと、取付手段としての環支持部１８及び環部１９とを備えている。抜止部１５ｂ及び近接部１７ｂには、中心に孔が形成され、その孔に貫通部１６ｂ及び環支持部１８が回動可能に貫装されている。可動アンカー５ｂは、レール部を備えない釣用ベルトにも備えることができる。
【００６１】
シート３６，３７及び取付環３４，３５に換えて、吊下部材３０，３１具の下方に延出する延出部を形成し、その延出部に小物入れを備えさせてもよい。また、可動アンカー５が移動可能であるような背当てを、ベルト本体の裏側に可動可能に備えてもよい。例えば、上述した複数の吊下部材形状のものを、一定の間隔開いた状態で、それらをベルト本体長手方向に板状のもので連結するように、樹脂で一体成形して背当て本体を形成し、その背当て本体の裏面にスポンジ状シートを貼付けて構成した背当てを備えてもよい。
【００６２】
また、釣用ベルトは、上述した実施形態に変えて、図９に示す構成にすることもできる。図９（ａ）は、釣用ベルトの一部を切取り、釣用ベルトの表側方向から視た場合の釣用ベルトを示している。図９（ｂ）は、図９（ａ）の釣用ベルトのB−Bにおける断面図である。
【００６３】
図９（ａ）の釣用ベルトは、ベルト本体２と、開口部３と、支持部材として機能する可撓部材４ａと、移動部材としての可動アンカー５ｃとを備えている。ベルト本体２は、合成樹脂製の薄板材８と、編板材９とを備えている。薄板材８には、ベルト本体２の長手方向に直線状に形成された開口部３が備えられている。そして、図９（ｂ）に示すように、薄板材８には、ベルト本体２短手方向に、複数の凸条部８ａが等間隔に形成されている。この凸条部８ａが形成されることにより、強い力が可動アンカー５ｃに加わったとき、薄板材８が撓むのを防止することが可能となり、薄板材８の変形によって可動アンカー５ｃの移動が妨げられるのを防止できるとともに、可動アンカー５ｃが開口部３から外れるのを防止することができる。この釣用ベルトにレール部１０を備えてもよく、その場合には可動アンカー５を用いてもよい。可動アンカー５及びレール部１０を備えることで、さらに薄板材８を補強することができる。
【図面の簡単な説明】
【００６４】
【図１】１実施形態に係る釣用ベルトの斜視図である。
【図２】別の方向から見た場合の釣用ベルトの斜視図である。
【図３】可動アンカーの形状を示す斜視図である。
【図４】図１のＡ−Ａ部分で切取った釣用ベルトの断面図である。
【図５】可動アンカーの別例を示す斜視図である。
【図６】釣用ベルトを装着し、川に立入ったときの、釣用ベルトの使用状態を示す、上空から視た説明図である。
【図７】釣用ベルトの装着し、使用川に立入って釣人の体の向きを変化させた状態を示す、上空から視た説明図である。
【図８】釣用ベルトの装着し、使用川に立入って釣用ベルトの連結部位置を変化させた状態を示す、上空から視た説明図である。
【図９】別の実施形態に係る釣用ベルトの一部の斜視図及び断面図である。
【符号の説明】
【００６５】
１  釣用ベルト
２  ベルト本体
３  開口部
４  可撓部材
５  可動アンカー
１３  支持部材
６０  引き舟
６１  ロープ